(57)【特許請求の範囲】
【請求項１】
軸筒の先端にペン及びペン芯を装着し、軸筒内にペン及びペン芯を装着した装着孔に連通する大径孔と小径孔を順次設けてなるインキタンク部を形成し、先端部に、前記大径孔より小径で小径孔より外径が大きく、小径孔に位置する際は小径孔の内壁面に当接してインキタンク部をペン芯側の前方空間と軸筒の後端側の後方空間に分割する弁体を有し、前記前方空間と後方空間を連通する流体流通路を形成した弁部を設けた中芯を、軸筒の後端部に設けた中芯を保持する保持部の貫通孔に、該貫通孔に配設した周状のパッキンによりインキが漏れることなく移動可能に挿着して、中芯を軸筒内から引っ張り出す方向に移動させて弁部が小径孔に位置して軸筒の後端側へ移動する際は前記流体流通路が弁体により遮断されず、中芯を軸筒内に押し入れる方向に移動させて弁部がペン芯側へ移動する際は前記流体流通路が弁体により遮断されるようにし、中芯を軸筒内から引っ張り出して弁部を軸筒の後端側に移動させ、次に中芯を軸筒内に押し入れる方向に移動させることにより後方空間を負圧状態とし、弁部の弁体がインキタンクの大径部に達すると前記負圧状態が一挙に解除されてインキタンク部内にインキを吸入してなる吸入式万年筆において、中芯の周面に弁部側の外径が大径となる外径差により形成される段部を設け、保持部の貫通孔の周壁面に前記段部に当接しかつ段部を乗り越え可能な当接部を有する一時的ストッパー部材を設け、中芯を軸筒内から引っ張り出す方向に移動させる際に、弁部が小径孔に移動する前に前記一時的ストッパー部材の当接部が前記段部に当接するようにして、中芯の軸筒後端側への移動を一時的に抑制したことを特徴とする吸入式万年筆。
【請求項２】
前記保持部の貫通孔の周壁面に設けたパッキンを前記一時的ストッパー部材として兼用したことを特徴とする、請求項１に記載の吸入式万年筆。
【請求項３】
前記保持部の貫通孔の周壁面に設けたパッキンと一時的ストッパー部材間に、潤滑剤を介在させてなる、請求項１又は２に記載の吸入式万年筆。
【請求項４】
前記段部を、中芯の周面に軸心方向に沿って複数配列し、各段部を構成する大径の外径部分の径を同一とした、請求項１、２又は３に記載の吸入式万年筆。
【請求項５】
段部を構成する小径部と大径部との外径差寸法を、各段部で異ならせてなる、請求項４に記載の吸入式万年筆。
【発明の詳細な説明】
【０００１】
【発明の属する技術分野】
本発明は、ペン及びペン芯を装着した装着孔に連通したインキタンク部内に、先端部にインキを吸入するための弁部を有した中芯を配設し、該中芯を往復移動させることによりインキを吸入する方式の吸入式万年筆に関する。
【０００２】
【従来の技術】
吸入式万年筆においては、インキを軸筒内のインキタンク内に吸入する方式も各種のものがあり、軸筒内に、ペン及びペン芯を装着した装着孔に連通したインキタンク部を形成し、先端部にインキを吸入するための弁部を有した中芯を、軸筒の後端部に設けた保持部の貫通孔にインキが漏れることなく密接にかつ移動可能に保持してインキタンク部内に配設し、中芯を往復移動させることによりインキタンク部内にインキを吸入するピストン方式の構造のものも知られている。
【０００３】
その構造について図を用いて説明すると、図１３に示す吸入式万年筆５１は、軸筒５２の先端に、ペン５３及びインキを一時的に溜める櫛溝５４を有したペン芯５５を、装着孔５６に装着して設けてある。図に示すものは、ペン５３及びペン芯５５を首５７の装着孔５６に装着して、首５７を着脱自在に軸筒５２に連結して設けてあるが、軸筒の先端に直に装着した構造もある。前記装着孔５６の後方の軸筒５２内には、装着孔５６に連通する大径孔５８及び大径孔５８に接続した小径孔５９を順次有したインキタンク部６０を設けてある。
【０００４】
軸筒の後端部５２ａには棒状の中芯６１を、軸筒５２の後端にインキが漏れることなく移動可能に保持してある。中芯６１の後端には、軸筒の後端部５２ａに着脱自在に嵌合可能な尾栓６２を連結してある。図１３に示すものは、軸筒の開口した後端部５２ａには密栓６３で密封しており、該密栓６３には、中央に形成した貫通孔６４に前後に配した周状のパッキン７２により中芯６１を密接にかつ移動可能に挿着してある。尾栓６２は、密栓６３の後端部６３ａに着脱自在に螺着してある。中芯６１の先端には、前記大径孔５８より小径で小径孔５９より外径がわずかに大きく、小径孔５９に位置するときは小径孔の内壁面に当接してペン芯５５側の前方空間６５と尾栓６２側の後方空間６６に分割する弁体６７を配設した弁部６８を設けてある。
【０００５】
前記弁部６８には、該弁部６８が小径孔５９に位置する際に前方空間６５と後方空間６６を連通する空気やインキが流通する流体流通路６９を、弁部６８が小径孔５９において尾栓６２側への移動時には弁体６７により遮断されず、ペン芯側への移動時には弁体６７により遮断されるように設けてある。図１４に示すように、流体流通路６９は、弁体６７の内周面と弁部６８の中芯６１の外周面との隙間を流体流通路６９としてあり、弁部６８が中芯６１とともに軸筒５２の後端側に移動する際は、弁体６７の外周が小径孔５９の内周面に摩擦接触するため、弁体６７は移動せず結果的にペン芯側ストッパー７０に当接する。この状態では弁体６７は、前記流体流通路６９を遮断しておらず、矢印に示すようにして後方空間６６内の空気は前方空間６５に流出する。図１５に示すように、弁部６８が中芯６１とともにペン芯５５側に移動すると、弁体６７は尾栓側ストッパ７１に当接し、前記流体流通路６９を遮断される。後方空間６６は密封状態なので、その容積が増加して負圧状態となる。弁部６８が大径孔５８に達すると、図１６に示すように、弁体６７の外周と大径孔５８内周面との間に隙間ができ前記負圧状態が一挙に解除され、矢印に示すように空気やインキがインキタンク部６０内に流入する。
【０００６】
【発明が解決しようとする課題】
こうした構造の中芯６１を往復移動させてインキタンク部６０内にインキを吸入する方式の吸入式万年筆５１においては、携帯時の振動や落下等の衝撃によりインキタンク部６０内のインキがペン５３やペン芯５５から飛び出さないように、非筆記時は尾栓６２を軸筒の後端部５２ａに嵌合すると、弁部６８で大径孔５８の装着孔５６に連通する入口部５８ａを閉塞するような構造にしてある。筆記時は、尾栓６２を中芯６１の弁部６８が大径孔５８内に位置する範囲内で、尾栓を６２を密栓６３の後端部６３ａより離脱する方向に移動させ、前記大径孔５８の入口部５８ａを開放させて筆記する。
【０００７】
しかし、誤って中芯６１の弁部６８を小径孔５９側に移動させてしまうと、筆記を終えて尾栓６２を密栓６３の後端部６３ａに嵌合した元の状態に戻そうとすると、インキタンク部内のインキを軸筒外に流出させることになり、インキ瓶等がない場合には、尾栓をその状態で万年筆を保管するか、あるいは尾栓を元の状態に戻すためにインキを外部に排出して周りをインキで汚してしまうという問題が生じる。
【０００８】
本発明はこうした事情に鑑み、軸筒内に、ペン及びペン芯を装着した装着孔に連通した大径孔と小径孔を順次有したインキタンク部を形成し、先端部にインキを吸入するための弁部を有した中芯を、軸筒の後端部に設けた保持部の貫通孔にインキが漏れることなく密接にかつ移動可能に保持してインキタンク部内に配設し、中芯を往復運動させることによりインキタンク部内にインキを吸入する構造の吸入式万年筆において、筆記時に中芯の弁部をインキタンク部の大径孔の装着孔への入口から離間させる際に、必要以上に中芯を軸筒後端から引っ張り出して弁部を小径孔に移動させないように、弁部が小径孔に移動する前に一時的に移動を抑制する手段を設けることを目的とするものである。
【０００９】
【課題を解決するための手段】
本発明は、軸筒の先端にペン及びペン芯を装着し、軸筒内にペン及びペン芯を装着した装着孔に連通する大径孔と小径孔を順次設けてなるインキタンク部を形成し、先端部に、前記大径孔より小径で小径孔より外径がわずかに大きく、小径孔に位置する際は小径孔の内壁面に当接してインキタンク部をペン芯側の前方空間と軸筒の後端側の後方空間に分割する弁体を有し、前記前方空間と後方空間を連通する流体流通路を形成した弁部を設けた中芯を、軸筒の後端部に設けた中芯を保持する保持部の貫通孔に、該貫通孔に配設した周状のパッキンによりインキが漏れることなく移動可能に挿着して、中芯を軸筒内から引っ張り出す方向に移動させて弁部が小径孔に位置して軸筒の後端側へ移動する際は前記流体流通路が弁体により遮断されず、中芯を軸筒内に押し入れる方向に移動させて弁部がペン芯側へ移動する際は前記流体流通路が弁体により遮断されるようにし、中芯を軸筒内から引っ張り出して弁部を軸筒の後端側に移動させ、次に中芯を軸筒内に押し入れる方向に移動させることにより後方空間を負圧状態とし、弁部の弁体がインキタンクの大径部に達すると前記負圧状態が一挙に解除されてインキタンク部内にインキを吸入してなる吸入式万年筆において、中芯の周面に弁部側の外径が大径となる外径差により形成される段部を設け、保持部の貫通孔の周壁面に前記段部に当接しかつ段部を乗り越え可能な当接部を有する一時的ストッパー部材を設け、尾栓を軸筒から離脱する方向に移動させて弁部を軸筒の後端側に移動させる際に、弁部が小径孔に移動する前に前記一時的ストッパー部材の当接部が前記段部に当接するようにして、中芯の軸筒後端側への移動を一時的に抑制したことを特徴とする吸入式万年筆である。
【００１０】
本発明においては、中芯の周面に設けた段部に、中芯を保持する保持部の貫通孔の周壁面に設けた一時的ストッパー部材の当接部を当接させることにより、中芯を軸筒後端側へ引き抜く際に中芯の移動を一時的に抑制するもので、一時的ストッパー部材の当接部が段部に当接し、その当接部が段部を乗り越えるためには余計に引張力を要することを持って手段としているが、当接部の段部の乗り越えを不可能にして中芯の軸筒後端側への移動を阻止するためのものではない。従って、段部は、中芯の周面に弁部側の外径が大径となる外径差により形成されるものである。弁部側の外径が小径となる段部では、前記役目を果たさない。
【００１１】
段部の形成にあたっては、下記の様な方法により得られる。
▲１▼  中芯の段部を設ける軸筒の後端側の外径を小径とするか、ペン芯側の軸の外径を大径として段部を形成する。
▲２▼  中芯の周面に、凸部を設けることにより段部を形成する。
▲３▼  中芯の周面に、凹部を設けることにより段部を形成する。
また、中芯に一つの段部を設けたものでは、中芯を引っ張り出す力が強すぎると、一時的ストッパー部材の当接部が段部を乗り越えてしまう恐れがあるので、段部を軸心方向に沿って複数配列した方がより好ましい。前記▲１▼〜▲３▼の方法を組み合わせることにより複数配列することができる。
【００１２】
本発明は、一時的ストッパー部材の当接部が段部に当接することにより中芯の軸筒後端側への移動を一時的に抑制するものであり、抑制力は、一時的ストッパー部材の当接部の段部への当接量に左右され、抑制力が強くなればなる程、中芯を移動させる際の操作性は悪くなる。例えば、軸筒の後端側の１段目の段部を▲１▼の方法により形成し２段目以降の段部を▲１▼や▲２▼の方法を組み合わせて形成した場合、各段部を構成する大径の外径部分の径は順次大きくなり、１段目の段部の抑制力を適度な抑制力にすると、２段目以降の抑制力は強くなり過ぎ、中芯を動かす操作性が悪くなる。１段目と２段目以降の各段部を構成する大径の外径部分の径を同一となるように形成すれば、前記のような問題は回避できる。また、１段目と２段目以降の段部による抑制力は同じである必要はない。各段部を構成する大径の外径部分の径を同一にした各段部であっても、各段部を構成する小径部の径を変化させ大径部との外径差寸法を変えることにより、各段部における抑制力を変えることができる。
【００１３】
また本発明においては、段部に当接しかつ段部を乗り越え可能な当接部を有する一時的ストッパー部材を保持部の貫通孔の周壁面に設けるが、当接部及び一時的ストッパー部材は必ずしもリング状に形成されている必要はなく、その形状は限定されない。
【００１４】
また本発明の吸入式万年筆において、前記中芯を軸筒の後端部に設けた中芯を保持する保持部の貫通孔にインキが漏れることなく移動可能に挿着するために、貫通孔に周状のパッキンを配設してあるが、そのパッキンを前記一時的ストッパー部材として兼用することもできる。複数パッキンを配設したものにあっては、軸筒の後端側に位置するパッキンを一時的ストッパー部材として兼用すると良い。このことにより部品点数の低減になる。
【００１５】
パッキンと一時的ストッパー部材間に潤滑剤を介在させることにより、一時的ストッパー部材の少なくとも当接部の中芯との接触摩耗による寿命を延ばすことが可能となり、またパッキンにおいてはインキや空気に対する液密や気密を高めることが可能となる。潤滑剤としてはインキに影響を与えない油脂類が良く、代表的なものとしてフッ素系グリースがある。
【００１６】
前記弁部に配設する弁体は、弁部に形成する前方空間と後方空間を連通する流体流通路を、弁部が小径孔に位置して軸筒の後端側への移動時には遮断せず、軸筒の先端側への移動時には遮断するように弁部に設けるが、その形状は適宜決定すればよく、特に限定されない。
【００１７】
前記弁体や一時的ストッパー部材の材質としては、ゴム、テフロン、テフロン以外のフッ素系樹脂、ポリエチレン系樹脂、ポリプロピレン、ポリアセタール、ナイロン等を使用可能である。
【００１８】
【本発明の実施の形態】
本発明の吸入式万年筆の実施の形態を図面を用いて説明する。本実施の形態の吸入式万年筆においては、キャップについての説明を従来の構造のものと変わりがないので省略してあるが、キャップを有さない構造に限定されるものではない。本実施の形態の吸入式万年筆１は、図１に示すように、軸筒２の先端に設けた装着孔３に、ペン４及びインキを一時的に溜める櫛溝５を有したペン芯６を装着して設けてある。前記装着孔３の後方には、装着孔３に連通する大径孔７及び大径孔７に接続した小径孔８を順次有したインキタンク部９を設けてある。
【００１９】
軸筒２の後端開口部２ａには、該後端開口部２ａを密栓しかつ中央部に貫通孔１０を有した、該貫通孔１０に直線状の中芯１１を挿着して保持する保持部１２が螺着してある。装着孔３、大径孔７、小径孔８および貫通孔１０は一直線上に沿って配置されている。前記貫通孔１０には、中芯１１を軸筒２の後端からインキが漏れることなく移動可能に挿着してある。中芯１１の後端には、軸筒２の後端のネジ部１３に着脱自在に螺着する尾栓１４を連結してある。尾栓１４は、後端にナット３１を螺着した中芯１１後端部を、中芯１１の後端部に回転自在に挿着したねじ駒３２を尾栓１４に螺着することにより尾栓１４の内部に配設して中芯１１に対し回転自在に連結してある。中芯１１の先端には、大径孔７より小径で小径孔８より外径がわずかに大きく、図５に示すように、小径孔８に位置するときは小径孔８の内壁面に当接してペン芯６側の前方空間１５と軸筒２の後端側の後方空間１６に分割するゴムで形成した弁体１７を配設して弁部１８を設けてある。図３に示すように、弁体１７は、底部１７ａを有した底部側が小径な円筒形状で、底部１７ａの中央に中芯１１を挿着するための中芯１１の軸径より大径の貫通孔１９を設けてあり、底部１７ａを尾栓１４側にして中芯１１に装着してある。弁体１７の底部１７ａの端部には、外方に突出したリング状の突部２０を設けてある。
【００２０】
弁部１８は、前記弁体１７と、円板状の尾栓１４側の後方ストッパー部材２１と、円錐状で軸心に沿って数カ所の切欠部２２を有したペン芯６側の前方ストッパー部材２３と、円錐状で先端を装着孔３に連通するインキタンク部９の大径孔７の入口２４を閉塞する止栓２５から構成されている。弁体１７は、後方ストッパー部材２１と前方ストッパー部材２３間に移動可能に装着されている。後方ストッパー部材２１、前方ストッパー部材２３及び止栓２５の外径は、図５に示すように、インキタンク部９の小径孔８の内径より小さく形成されている。中芯１１と弁体１７の貫通孔１９とに生じる隙間及び前方ストッパー部材２３における切欠部２２を空気やインキが流通するための流体流通路２６としてある。
【００２１】
軸筒２の保持部１２には、軸筒２の後端からインキが漏れることなく密接にかつ移動可能に中芯１１を保持するためにパッキン２７を配設してあるが、弁部１８の止栓２５がインキタンク部９の大径孔７の入口２４に当接した状態で、前記弾性リング体２７より尾栓１４側の中芯１１の周壁面の位置に、図４に示すように、尾栓側に近傍部分の外径を小径とし、その軸径差から形成される１つ目の段部２８を設けてある。段部２８は傾斜面としてある。その段部２８の弁部１８側の前方には、前後の端面を傾斜面とした凹溝を設けることにより形成された、２つ目の段部２９を設けてある。
【００２２】
保持部１２には、弁部１８がインキタンク部９の大径孔７から小径孔８に移行する前に前記１つ目の段部２８と２つ目の段部２９に当接可能に、前記弾性リング体２７より尾栓１４側の後方の位置に、常時中芯１１の周壁面に当接する内周面を有した、断面形状が円形の弾性リングである一時的ストッパー部材３０を設けてある。パッキン２７と一時的ストッパー部材３０間には、フッ素系グリース３３を介在させてある。
【００２３】
インキタンク部９にインキを吸入するには、先ず、図５〜図７に示すように、尾栓１４を保持部１２のネジ部１３から離脱させ、尾栓１４を引っ張って中芯１１を引き出す。弁部１８がインキタンク部９の小径孔８に移動すると、弁部１８の弁体１７はインキタンク部９の小径孔８に当接して動きを止め、結果的にペン芯６側へ寄ることになり前方ストッパー部材２３に当接する。弁体１７で仕切られた後方空間１６内の空気は、前記流体流通路２６を通って、前方空間１５に移行する。
【００２４】
次に、図８に示すように、尾栓１４をペン芯６側へ押し戻し元の位置に戻そうとすると、弁体１７は尾栓１４側へ寄ることになり、突部２０を後方ストッパー部材２１に当接し、そのことにより前記流体流通路２６は閉塞される。従って、中芯１１が移動して弁部１８がペン芯６側に寄ると、前方空間１５の空気は軸筒２外に排出され、後方空間１６は負圧の状態となる。弁部１８がペン芯６側に移動すればする程、後方空間１６の負圧の状態は強くなる。さらに、尾栓１４をペン芯６側へ押し戻し、図９に示すように、弁部１８が大径孔７に達すると、従来の吸入式万年筆と同様に一挙に前記負圧状態が解除されるので、軸筒２の外部から大径孔７及び小径孔８のインキタンク部９内に空気が流入する。この時に、軸筒２の先端部をインキ瓶等に収容されたインキ内に挿入していれば、インキタンク部９内にインキを吸入することができる。
【００２５】
非筆記時は、図１に示すように、尾栓１４を軸筒２の保持部１２のネジ部１３に螺着して、弁部１８の止栓２５が大径孔７の装着孔３への入口２４を閉塞する。携帯時の振動や落下等の衝撃によりインキタンク部９内のインキがペン４やペン芯６から飛び出さないようにしてある。筆記時は、図９に示すように、尾栓１４の保持部１２のネジ部１３とのネジ嵌合を緩めて、中芯１１を若干引っ張り出し、前記止栓２５を入口２４より離間させて、インキタンク部９からペン４にインキが流通するようにする。その際、インキタンク部９内にインキが収容された状態（図示せず）で、弁部１８が小径孔８に位置した状態から尾栓１４をペン芯６側へ押し、中芯１１を元の位置に戻すと、弁部１８が小径孔８内を移動した分の小径孔８内のインキ量がインキタンク部９から排出されることになり、周りをインキで汚してしまうが、中芯１１の弁部１８が小径孔８側に移動する前に、保持部１２に配設した一時的ストッパー部材３０が中芯１１に設けた１つ目の段部２８に当接するので、中芯１１をそれ以上引っ張り出すには一時的ストッパー部材３０が１つ目の段部２８と２つ目の段部２９を乗り越えるための引張力を必要とし、一時的な抑制力となる。
【００２６】
本実施の形態としては、中芯１１の周壁面に１つ目の段部２８と２つ目の段部２９を前述したように設けてあるが、他の実施の形態として、図１０に示すように、中芯１１の周壁面に２つの突部３４を前後に若干離間して２つ形成することにより２つの段部３５、３６を設けることもできる。
【００２７】
また、一時的ストッパー部材の他の実施の形態として、図１１に示すように、保持部材１２の貫通孔１０の周壁面に、周状に複数個の穴３７を形成し、該穴３７に球体４１をスプリング４２を介して軸心方向に付勢して構成したものがある。一時的ストッパー部材４０は球体４１を当接部としたものである。球体４１が穴３２より飛び出さないように、蓋４３を設けて保持してある。さらに他の実施の形態としては、図１２に示すように、リング体５１に、軸心に沿った方向に突出して先端を自由端とした突片５２を複数個設け、該突片５２の先端に軸心に向かって突出した当接部５３を設けて一時的ストッパー部材５０としたものである。
【００２８】
【発明の効果】
中芯を往復移動させてインキタンク部内にインキを吸入する方式の吸入式万年筆において、本発明の吸入式万年筆は前述したような構造なので、筆記時に中芯の弁部をインキタンク部の大径孔のペン芯を装着した装着孔への入口から離間させる際に、弁部が小径孔に移動する前に、中芯に形成した段部に中芯を保持する保持部に形成した一時的ストッパー部材が当接するので、中芯をそれ以上引っ張り出すには一時的ストッパー部材が段部を乗り越えるためのさらなる引張力が必要となり、一時的な抑制力となるので、あやまって弁部が小径孔に移動する程に中芯を引っ張り出すことがない。
【００２９】
また、段部を複数設けると、力強く中芯を引っ張って誤って一時的ストッパー部材が１段目の段部を乗り越えてしまっても、乗り越える際の衝撃が指に伝わるので力を緩め、一時的ストッパー部材が２段目以降の段部へ当接することにより、移動をとめることができ、誤って弁部が小径孔に移動する程に中芯を引っ張り出すことの抑制をさらに確実に行える。
【図面の簡単な説明】
【図１】本発明の実施の形態を示す、吸入式万年筆の縦断面図である。
【図２】前記図１における、後端に尾栓を連結した一部を断面にした中芯部分の全体側面図である。
【図３】前記２図における、中芯の弁部の部分の拡大図である。
【図４】前記２図における、中芯の後端部分の拡大図である。
【図５】インキタンク部内にインキを吸入するための動作を説明するための図で、中芯を引っ張り出して弁部をインキタンク部の小径孔に移動させた状態を示す吸入式万年筆の縦断面図である。
【図６】図５における、弁部の状態を示す要部の拡大図である。
【図７】インキタンク部内にインキを吸入するための動作を説明するための図で、中芯を引っ張り出して弁部をインキタンク部の小径孔の後部に位置させた状態を示す吸入式万年筆の縦断面図である。
【図８】インキタンク部内にインキを吸入するための動作を説明するための図で、中芯を押圧して元の位置に戻す際の、弁部の状態を示す要部の拡大図である。
【図９】筆記する際の、弁部をインキタンク部の大径孔のペン芯を装着した装着孔への入口から離間した状態を示す、吸入式万年筆の縦断面図である。
【図１０】中芯の他の実施の形態を示す、後端に尾栓を連結した一部を断面にした中芯部分の要部の拡大図である。
【図１１】他の実施の形態の一時的ストパー部材を装着した状態を示す、吸入式万年筆の要部の拡大図である。
【図１２】さらに他の実施の形態の一時的ストパー部材を装着した状態を示す、吸入式万年筆の要部の拡大図である。
【図１３】従来の吸入式万年筆の縦断面図である。
【図１４】インキタンク部内にインキを吸入するための動作を説明するための図で、中芯を引っ張り出して弁部をインキタンク部の小径孔に移動させた際の、弁部の状態を示す図１３における要部の拡大図である。
【図１５】中芯を押圧して元の位置に戻す際の、弁部の状態を示す図１３における要部の拡大図である。
【図１６】弁部が大径孔に達した際の、空気又はインキの流れを示す図１３における要部の拡大図である。
【符号の説明】
１  吸入式万年筆
２  軸筒
３  装着孔
６  ペン芯
７  大径孔
８  小径孔
９  インキタンク部
１０  貫通孔
１１  中芯
１２  保持部
１５  前方空間
１６  後方空間
１７  弁体
１８  弁部
２６  流体流通路
２７  パッキン
２８、２９、３５、３６  段部
３０、４０、５０  一時的ストッパー部材
【図１】
0004375769.tif 000002
【図２】
0004375769.tif 000003
【図３】
0004375769.tif 000004
【図４】
0004375769.tif 000005
【図５】
0004375769.tif 000006
【図６】
0004375769.tif 000007
【図７】
0004375769.tif 000008
【図８】
0004375769.tif 000009
【図９】
0004375769.tif 000010
【図１０】
0004375769.tif 000011
【図１１】
0004375769.tif 000012
【図１２】
0004375769.tif 000013
【図１３】
0004375769.tif 000014
【図１４】
0004375769.tif 000015
【図１５】
0004375769.tif 000016
【図１６】
0004375769.tif 000017